(57)【要約】【課題】  機器の取付位置を自由に選択することができ、加えて、寸法規格の異なる機器を設置する場合にも容易に対応することができる二重床を提供することを課題とする。【解決手段】  機器が設置される機器設置領域が床スラブＳの上方に並設された複数本の梁材２０を含んで形成されている二重床であって、各梁材２０が、機器が固定される機器固定部２２と、この機器固定部２２を保持する梁本体部２１とを備えており、かつ、機器固定部２２が、梁本体部２１の長手方向に沿って移動可能であることを特徴とする。【選択図】      図２
2006070557.tif 000002
【特許請求の範囲】
【請求項１】
機器が設置される機器設置領域が床スラブの上方に並設された複数本の梁材を含んで形成されている二重床であって、
前記各梁材が、前記機器が固定される機器固定部と、当該機器固定部を保持する梁本体部とを備えており、かつ、前記機器固定部が、前記梁本体部の長手方向に沿って移動可能であることを特徴とする二重床。
【請求項２】
前記機器固定部は、前記梁本体部の側面に当接する取付部と、当該取付部の上端部から側方に向かって張り出す張出部と、前記取付部の前記梁本体部側の側面に突設された係合部とを備えており、
前記梁本体部には、その長手方向に沿って、前記係合部が摺動自在に係合するガイド溝と、側面が開口したボルト収容部とが形成されており、
前記機器固定部の取付部が、前記ボルト収容部に頭部が収容されたボルトおよび当該ボルトの軸部に螺合するナットを利用して前記梁本体部に固定されていることを特徴とする請求項１に記載の二重床。
【発明の詳細な説明】
【技術分野】
【０００１】
本発明は、床スラブ上に構築される二重床に関する。
【背景技術】
【０００２】
従来、通信機器や電算機などの重量機器類が設置される機器設置領域と、当該機器設置領域に隣接して形成される通路領域とを有する二重床が知られている（例えば、特許文献１参照）。なお、このような二重床は、膨大な数の通信機器や電算機などが収容されるデータセンターに構築されることが多い。
【０００３】
機器設置領域は、図１２に示すように、間隔をあけて配置された複数のテーブル状の架台Ｄ１，Ｄ１，…と、隣り合う架台Ｄ１，Ｄ１間に架設された二本の梁材Ｄ２，Ｄ２とを備えて構成されており、通信機器等は、ボルト・ナットを利用して梁材Ｄ２に対して固定される。また、通路領域は、隣り合う骨組構造体Ｄ，Ｄ間に敷設された複数の床パネルＰ，Ｐ，…で構成されている。
【０００４】
【特許文献１】実公平５−４３１５４号公報（図１）
【発明の開示】
【発明が解決しようとする課題】
【０００５】
ところが、従来の二重床においては、通信機器等を固定するためのボルトを、梁材Ｄ２に予め形成された複数の挿通孔Ｄ２１,Ｄ２１,…のいずれかに挿通する必要があることから、通信機器等の取付位置を自由に選択することができなかった。また、例えば、寸法規格の異なる通信機器等を設置する場合には、この寸法規格に適合する新たな挿通孔を形成しなければならず、多大な手間を要してしまう。
【０００６】
そこで、本発明は、機器の取付位置を自由に選択することができ、加えて、寸法規格の異なる機器を設置する場合にも容易に対応することができる二重床を提供することを課題とする。
【課題を解決するための手段】
【０００７】
このような課題を解決するために創案された本発明の二重床は、機器が設置される機器設置領域が床スラブの上方に並設された複数本の梁材を含んで形成されている二重床であって、前記各梁材が、前記機器が固定される機器固定部と、当該機器固定部を保持する梁本体部とを備えており、かつ、前記機器固定部が、前記梁本体部の長手方向に沿って移動可能であることを特徴とする。
【０００８】
この二重床によると、機器設置領域を形成する梁材を梁本体部と機器固定部とに分割して構成するとともに、この機器固定部を梁本体部に対して移動可能に構成したので、機器の取付位置を自由に選択することが可能となり、寸法規格の異なる機器を設置する場合にも容易に対応することが可能となる。
【０００９】
なお、本発明に係る二重床においては、前記機器固定部は、前記梁本体部の側面に当接する取付部と、当該取付部の上端部から側方に向かって張り出す張出部と、前記取付部の前記梁本体部側の側面に突設された係合部とを備えており、前記梁本体部には、その長手方向に沿って、前記係合部が摺動自在に係合するガイド溝と、側面が開口したボルト収容部とが形成されており、前記機器固定部の取付部が、前記ボルト収容部に頭部が収容されたボルトおよび当該ボルトの軸部に螺合するナットを利用して前記梁本体部に固定されているものであってもよい。
【００１０】
このようにすると、ボルトとナットを緩めるだけで機器固定部が移動可能な状態になるので、その取り扱いが非常に簡便になる。
【発明の効果】
【００１１】
本発明に係る二重床によると、機器の取付位置を自由に選択することが可能となり、加えて、寸法規格の異なる機器を設置する場合にも容易に対応することが可能となる。
【発明を実施するための最良の形態】
【００１２】
以下、本発明を実施するための最良の形態を、添付した図面を参照しつつ詳細に説明する。
【００１３】
実施形態に係る二重床は、図１に示すように、例えば、膨大な数の通信機器や電算機などが収容されるデータセンターに構築されるものであり、主として通信機器や電算機が設置される複数列の通信機器設置領域Ｋ１，Ｋ１，…と、主として空調機が設置される空調機設置領域Ｋ２と、隣り合う通信機器設置領域Ｋ１，Ｋ１間に設けられた一般通路領域Ｔ１と、空調機器設置領域Ｋ２に沿って設けられた主幹通路領域Ｔ２とを有している。複数列の通信機器設置領域Ｋ１，Ｋ１，…は、互いに所定の間隔をあけて、かつ、平行に配置されており、一方、空調機器設置領域Ｋ２は、各通信機器設置領域Ｋ１の端部から所定の間隔をあけて、かつ、通信機器設置領域Ｋ１に対して直交する方向に配置されている。なお、本実施形態では、通信機器設置領域Ｋ１と空調機設置領域Ｋ２とが「機器設置領域」に相当し、一般通路領域Ｔ１と主幹通路領域Ｔ２とが「通路領域」に相当する。
【００１４】
そして、空調機設置領域Ｋ２に備え付けられた図示せぬ空調機から床下空間に向けて冷却空気が吹き出され、この冷却空気を利用して各通信機器設置領域Ｋ１に設置された通信機器Ｋ等が除熱されるようになっている。
【００１５】
本実施形態に係る二重床においては、通信機器設置領域Ｋ１および空調機設置領域Ｋ２は、それぞれ床スラブＳ上に並設された二列の支持脚構造体Ｌ，Ｌを利用して形成されている。また、一般通路領域Ｔ１は、隣り合う通信機器設置領域Ｋ１，Ｋ１間に敷設された複数の床パネルＰ，Ｐ，…を利用して形成されており、主幹通路領域Ｔ２は、複数の通信機器設置領域Ｋ１，Ｋ１，…と空調機設置領域Ｋ２との間に敷設された複数の床パネルＰ，Ｐ，…を利用して形成されている。なお、本実施形態に係る二重床においては、各通信機器設置領域Ｋ１および空調機設置領域Ｋ２のそれぞれにおいて、隣り合う支持脚構造体Ｌ，Ｌ同士が複数の連結体Ｊ，Ｊ，…により互いに連結されている。
【００１６】
（支持脚構造体）
支持脚構造体Ｌは、図２に示すように、床スラブＳの上方に配置される梁材２０と、この梁材２０と床スラブＳとの間に介設される少なくとも三つの束材１０，１０，…とを備えており、本実施形態では、さらに、梁材２０の長手方向に隣り合う二個一組の束材１０，１０を互いに連結する一対のブレース材３０，３０を複数組備えている。
【００１７】
束材１０は、図３に示すように、床スラブＳに固定されるベース部１１と、梁材２０が載置される梁載置部１２と、ベース部１１と梁載置部１２との間に介設される柱部１３と、ブレース材３０が接続される下側接続部１４および上側接続部１５と、を備えている。
【００１８】
ベース部１１は、図４に示すように、床スラブＳの上面に固定される下板１１１と、この下板１１１の上面の中央部に立設された下ネジ棒１１２とを備えている。下板１１１は、矩形形状を呈しており、その四隅に挿通孔１１１ａ，１１１ａ，…が穿設されている。なお、ベース部１１は、各挿通孔１１１ａと対応する位置において床スラブＳに打ち込まれたアンカーボルトＡｎおよびナットＮａを利用して固定される。
【００１９】
梁載置部１２は、梁材２０（図３参照）の下面に固定される上板１２１と、この上板１２１の下面の中央部に垂設された上ネジ棒１２２とを備えている。上板１２１は、矩形形状を呈しており、その四隅に挿通孔１２１ａ，１２１ａ，…が穿設されている。
【００２０】
柱部１３は、柱本体１３１と、この柱本体１３１の上下に配置された緩止め用のナット１３２，１３２とを備えている。柱本体１３１の下端面には、ベース部１１の下ネジ棒１１２が螺入されるネジ孔１３１ａが穿設されており、柱本体１３１の上端面には、梁載置部１２の上ネジ棒１２２が螺入されるネジ孔１３１ｂが穿設されている。なお、柱部１３は、所謂ターンバックル構造になっていて、柱本体１３１を適宜な方向へ回転させてネジ孔１３１ａへの下ネジ棒１１２の挿入量とネジ孔１３１ｂへの上ネジ棒１２２の挿入量とを適宜調節すると、束材１０全体の高さ寸法が調節される。
【００２１】
下側接続部１４は、ブラケット１４１と、このブラケット１４１の上下に配置されたナット１４２，１４２と、ブラケット１４１とナット１４２，１４２との間に配置されたワッシャ１４３，１４３とを備えている。ブラケット１４１は、ベース部１１の下ネジ棒１１２に環装される矩形形状の基片１４１ａと、この基片１４１ａの一辺から斜め上方に立ち上がる第一接続片１４１ｂと、基片１４１ａの前記一辺とは直交する他の辺から斜め上方に立ち上がる第二接続片１４１ｃとを備えている。なお、第一接続片１４１ｂの先端部分および第二接続片１４１ｃの先端部分には、それぞれ挿通孔１４１ｄ，１４１ｅが形成されている。また、ナット１４２，１４２は、ブラケット１４１の位置を保持する位置決め部材としての役割を担っており、ブラケット１４１を挟んだ状態でベース部１１の下ネジ棒１１２に螺合される。
【００２２】
上側接続部１５は、ブラケット１５１と、このブラケット１５１の下側に配置されたナット１５２と、ブラケット１５１とナット１５２との間に配置されたワッシャ１５３とを備えている。ブラケット１５１は、梁載置部１２の上ネジ棒１２２に環装される矩形形状の基片１５１ａと、この基片１５１ａの一辺から斜め下方に延びる第一接続片１５１ｂと、基片１５１ａの前記一辺とは直交する他の辺から斜め下方に延びる第二接続片１５１ｃとを備えている。なお、第一接続片１５１ｂの先端部分および第二接続片１５１ｃの先端部分には、それぞれ挿通孔１５１ｄ，１５１ｅが形成されている。また、ナット１５２は、ブラケット１５１の位置を保持する位置決め部材としての役割を担っており、ブラケット１５１の下側から上ネジ棒１２２に螺合される。
【００２３】
なお、束材１０を床スラブＳ上に設置するには、ベース部１１の下板１１１を床スラブＳ上に載置したうえで、その四隅に形成した挿通孔１１１ａから床スラブＳにアンカーボルトＡｎを打ち込み、アンカーボルトＡｎの下板１１１から突出した部分にナットＮａを螺合すればよい。なお、束材１０を構成する部材を予め一体にした状態でベース部１１を床スラブＳ上に固定してもよく、あるいは、ベース部１１を他の部位と分離した状態で床スラブＳ上に固定し、その後にベース部１１に他の部材を取り付けてもよい。
【００２４】
梁材２０は、図２に示すように、長手方向に連設された複数の梁構成材２０’，２０’，…からなる。
【００２５】
梁構成材２０’は、三つの束材１０，１０，１０の上面に固定されるものであり、図５の（ａ）に示すように、梁本体部２１と、この梁本体部２１に取り付けられた機器固定部２２とを備えており、本実施形態では、さらに、梁本体部２１に取り付けられた第一パッキン２３および第二パッキン２４を備えている。
【００２６】
梁本体部２１は、アルミニウム合金製の押出形材からなり、下層部２１１と、この下層部２１１の上側に形成された上層部２１２とを備えている。梁本体部２１をアルミニウム合金製の押出形材とすると、強度の割に軽量で、腐食しにくいというアルミニウム合金のメリットに加えて、二重床の組立や改造等が容易になるというメリットも期待できる。しかも、押出形材を所定の長さで切断するだけで長さの異なる梁本体部２１を製作することができるので、製作コストを削減することができる。
【００２７】
下層部２１１は、図５の（ｂ）に示すように、内部が斜めに仕切られた中空部２１１ａと、中空部２１１ａの下端部分の両側に形成された一対の第一ボルト収容部２１１ｂ，２１１ｂと、一方の第一ボルト収容部２１１ｂの上側（中空部２１１ａの上部側面）に形成された第二ボルト収容部２１１ｃと、他方の第一ボルト収容部２１１ｂの上側に形成された第三ボルト収容部２１１ｄと、この第三ボルト収容部２１１ｄの直上に形成された第一パッキン溝２１１ｅとを備えている。なお、下層部２１１は、上層部２１２よりも幅寸法が大きくなっており、上層部２１２よりも側方に突出した部分に床パネルＰの端部を載置できるようになっている（図５の（ａ）参照）。
【００２８】
第一ボルト収容部２１１ｂには、梁本体部２１を束材１０に固定する際に使用されるボルトＢ１（図５の（ａ）参照；以下同様）の頭部およびフレーム材Ｊ２（図５の（ａ）参照）を梁本体部２１に固定するために使用される図示せぬボルトの頭部が収容される。第一ボルト収容部２１１ｂは、梁構成材２０’の長手方向（梁本体部２１の押出方向；図５の（ｂ）において紙面垂直方向）に連続しており、その下面が開口している。このようにすると、ボルトＢ１の頭部を第一ボルト収容部２１１ｂの内部に収容したままで、このボルトＢ１を梁構成材２０’の長手方向に移動させることが可能になるので、束材１０の設置位置に誤差が生じている場合であっても、容易に対応することができ、さらには、二重床の供用後において新たな束材１０を増設する場合にも、新たな挿通孔等を形成する必要がないので、容易に対応することができる。なお、第一ボルト収容部２１１ｂの内面には、ボルトＢ１の頭部に当接してその回動を規制する突条が形成されている。また、第一ボルト収容部２１１ｂの内幅は、ボルトＢ１の軸部に環装される長方形の板ワッシャＷ１（図５の（ａ）参照；以下同様）の短辺幅と等しくなっている。なお、図示は省略するが、板ワッシャＷ１の下面には、第一ボルト収容部２１１ｂの長手方向と直交する方向に刃部が形成されており、ボルトＢ１を締め付けると、この刃部が第一ボルト収容部２１１ｂの内面に食い込み、ボルトＢ１の移動が阻止されるようになっている。また、図示は省略するが、第一ボルト収容部２１１ｂの下面の開口部は、適宜な箇所において拡幅されており、この拡幅部からボルトＢ１の頭部や板ワッシャＷ１を挿入できるようになっている。なお、ボルトＢ１の頭部や板ワッシャＷ１は、第一ボルト収容部２１１ｂの端部からその内部に挿入しておくこともできる。
【００２９】
第二ボルト収容部２１１ｃには、機器固定部２２を梁本体部２１に固定する際に使用されるボルトＢ２（図５の（ａ）参照；以下同様）の頭部が収容される。第二ボルト収容部２１１ｃは、梁構成材２０’の長手方向に連続しており、その側面が開口している。このようにすると、ボルトＢ２の頭部を第二ボルト収容部２１１ｃの内部に収容したままで、このボルトＢ２を梁構成材２０’の長手方向に移動させることが可能になる。なお、第二ボルト収容部２１１ｃの内面には、ボルトＢ２の頭部に当接してその回動を規制する突条が形成されている。また、第二ボルト収容部２１１ｃの内幅は、ボルトＢ２の軸部に環装される長方形の板ワッシャＷ２（図５の（ａ）参照；以下同様）の短辺幅と等しくなっている。また、図示は省略するが、第二ボルト収容部２１１ｃの側面の開口部は、適宜な箇所において拡幅されており、この拡幅部からボルトＢ２の頭部や板ワッシャＷ２を挿入できるようになっている。
【００３０】
第三ボルト収容部２１１ｄは、第二ボルト収容部２１１ｃと同様の構成であるのでその詳細な説明を省略する。
【００３１】
第一パッキン溝２１１ｅは、梁構成材２０’の長手方向に連続しており、その上面が開口している。この第一パッキン溝２１１ｅには、第一パッキン２３の下面に形成された凸部が嵌め入れられる。
【００３２】
上層部２１２は、中空部２１２ａと、この中空部２１２ａの側部であって下層部２１１の第二ボルト収容部２１１ｃの直上に形成された突設された突片２１２ｂ，２１２ｃと、中空部２１２ａの上端部分であって突片２１２ｂ，２１２ｃとは反対側に形成された第二パッキン溝２１２ｄとを備えている。
【００３３】
突片２１２ｂ，２１２ｃは、互いに対向した状態で梁構成材２０’の長手方向に連続しており、後記する機器固定部２２の係合部２２３（図５の（ａ）参照）のガイド溝として機能する。なお、上側の突片２１２ｂは、その先端部分が下側に折れ曲がっており、後記する機器固定部２２の係合部２２３に係合する。
【００３４】
第二パッキン溝２１２ｄは、梁構成材２０’の長手方向に連続しており、その側面が開口している。この第二パッキン溝２１２ｄには、第二パッキン２４の側面に形成された凸部が嵌め入れられる。
【００３５】
機器固定部２２は、図６に示すように、梁本体部２１の側面に当接する板状の取付部２２１と、この取付部２２１の上端部から側方に向かって張り出す張出部２２２と、取付部２２１の梁本体部２１側の側面に突設された係合部２２３とを備えており、全体として略逆Ｌ字状を呈している。
【００３６】
取付部２２１の長手方向の端部には、梁本体部２１の第二ボルト収容部２１１ｃの開口に合わせて横Ｕ字状の切欠き２２１ａ，２２１ａが形成されている。この切欠き２２１ａは、ボルトＢ２の軸部が丁度嵌り込む大きさに形成されている。
【００３７】
張出部２２２は、その上面が梁本体部２１の上面と面一になっており（図５の（ａ）参照）、その中央部にボルト挿通孔２２２ａが穿設されている。このボルト挿通孔２２２ａには、通信機器等を固定するためのボルトＢｋが挿通される。
【００３８】
係合部２２３は、横Ｔ字形状を呈しており、図５の（ａ）に示すように、その先端部分が梁本体部２１の突片２１２ｂ，２１２ｃの間（すなわち、ガイド溝）に摺動自在に係合する。また、係合部２２３の先端部分と取付部２２１との間に形成された隙間（溝）には、上側の突片２１２ｂが嵌り込む。
【００３９】
なお、機器固定部２２を梁本体部２１の側面に固定するには、機器固定部２２の係合部２２３の先端部分を梁本体部２１の突片２１２ｂ，２１２ｃ間に嵌め込むとともに、予め第二ボルト収容部２１１ｃに頭部を収容しておいたボルトＢ２の軸部を取付部２２１の切欠き２２１ａ（図６参照）に嵌め入れ、取付部２２１から突出した部分にナットＮ２を螺合すればよい。また、ボルトＢ２およびナットＮ２を緩めれば、機器固定部２２を任意の位置に移動させることができる。つまり、機器固定部２２は、梁本体部２１に対して移動可能に構成されており、その取付位置を通信機器設置領域Ｋ１（図１参照）に設置される通信機器の寸法規格に合わせて自由に移動させることができる。したがって、二重床の供用開始後に寸法規格の異なる通信機器を入れ替える場合であっても、この機器固定部２２を移動させるだけで対応することが可能となる。なお、図示は省略するが、第二ボルト収容部２１１ｃにナットＮ２を収容しておき、取付部２１１側からボルトＢ２を螺合してもよい。
【００４０】
第一パッキン２３は、図５の（ａ）に示すように、床パネルＰの下面と梁本体部２１の下層部２１１の上面との間に介設されるものであり、その裏面に形成された凸部を梁本体部２１の第一パッキン溝２１１ｅ（図５の（ｂ）参照）に嵌め込むことで梁本体部２１に固定される。そして、この第一パッキン２３により、床パネルＰの下面と梁本体部２１との間の隙間が封止され、その結果、空調機設置領域Ｋ２（図１参照）に設置された図示せぬ空調機から送風された冷却空気が効率よく通信機器設置領域Ｋ１（図１参照）に導入されるようになり、さらには、床パネルＰの下面と梁本体部２１との直接的な接触が防止されるので、軋み音の発生が抑制されることになる。
【００４１】
第二パッキン２４は、床パネルＰの側端面と梁本体部２１の上層部２１２の側面との間に介設されるものであり、その裏面に形成された凸部を梁本体部２１の第二パッキン溝２１２ｄ（図５の（ｂ）参照）に嵌め込むことで梁本体部２１に固定される。そして、この第二パッキン２４により、床パネルＰの側端面と梁本体部２１との間の隙間が封止され、その結果、図示せぬ空調機から送風された冷却空気が効率よく通信機器設置領域Ｋ１（図１参照）に導入されるようになり、さらには、床パネルＰの側端面と梁本体部２１との直接的な接触が防止され、軋み音の発生が抑制されることになる。
【００４２】
なお、梁構成材２０’を束材１０の上面に固定するには、各第一ボルト収容部２１１ｂにボルトＢ１の頭部を収容した状態で束材１０の梁載置部１２上に梁本体部２１を載置し、ボルトＢ１の軸部を梁載置部１２の上板１２１に形成された挿通孔１２１ａ（図４参照）に挿通したうえで、上板１２１の下側に突出したボルトＢ１の軸部をナットＮ１で締結すればよい。なお、梁構成材２０’の端部は、束材１０の上板１２１の前半分あるいは後半分に載置され（図３参照）、左右一つずつ合計二つのボルトＢ１で上板１２１に固定される。一方、梁構成材２０’の中間部分は、束材１０の上板１２１の全面に載置され、左右二つずつ合計四つのボルトＢ１で上板１２１に固定される。
【００４３】
ブレース材３０は、図７に示すように、梁材２０の長手方向に隣り合う束材１０，１０同士を連結するものであり、一方の束材１０の下側接続部１４に接続される第一棒材３１と、他方の束材１０の上側接続部１５に接続される第二棒材３２と、第一棒材３１と第二棒材３２とを連結するジョイント材３３とを備えている。
【００４４】
第一棒材３１は、図８に示すように、その一端に板状の接続端部３１１が形成されており、その他端にネジ山が形成されている。また、接続端部３１１には、その中央部に挿通孔３１１ａが形成されている。
【００４５】
第二棒材３２は、その一端に板状の接続端部３２１が形成されており、その他端にネジ山が形成されている。また、接続端部３２１には、その中央部に挿通孔３２１ａが形成されている。
【００４６】
ジョイント材３３は、棒状本体３３１と、この棒状本体３３１の両端に配置された緩止め用のナット３３２，３３２とを備えている。棒状本体３３１の両端面には、第一棒材３１の端部および第二棒材３２の端部が螺入されるネジ孔３３１ａ，３３１ｂが穿設されている。なお、ジョイント材３３は、所謂ターンバックル構造になっていて、ネジ孔３３１ａへの第一棒材３１の挿入量とネジ孔３３１ｂへの第二棒材３２の挿入量とを適宜調節することにより、ブレース材３０全体の長さ寸法を調節することができる。
【００４７】
なお、ブレース材３０で束材１０，１０を連結するには、図７に示すように、第一棒材３１の接続端部３１１を一方の束材１０の下側接続部１４に接続するとともに、第二棒材３２の接続端部３２１を他方の束材１０の上側接続部１５に接続すればよい。より詳細には、図８に示すように、第一棒材３１の接続端部３１１を下側接続部１４のブラケット１４１の第一接続片１４１ｂに重ね合わせ、接続端部３１１の挿通孔３１１ａと第一接続片１４１ｂの挿通孔１４１ｄの位置を合わせたうえで、これらにボルトＢ３を挿通し、その軸部にナットＮ３を螺合すればよい。第二棒材３２も同様である。
【００４８】
このように、各支持脚構造体Ｌにおいて梁構成材２０’の長手方向に隣り合う束材１０，１０同士を一対のブレース材３０，３０で互いに連結すると、各支持脚構造体Ｌの剛性が向上するので、地震等に起因する揺れに対して強い抵抗力を発揮する二重床を提供することが可能となる。
【００４９】
（連結体）
図２に示すように、隣り合う支持脚構造体Ｌ，Ｌ同士を連結する連結体Ｊには、束材１０，１０同士を互いに連結するブレース材Ｊ１と梁材２０，２０同士を互いに連結するフレーム材Ｊ２とがある。
【００５０】
ここで、ブレース材Ｊ１の構成は、前記したブレース材３０と同様であるので、その詳細な説明を省略する。
【００５１】
フレーム材Ｊ２は、図７に示すように、断面Ｌ字形を呈するアルミニウム合金製の押出形材からなり、第一ボルト収容部２１１ｂ（図５の（ｂ）参照）に頭部が収容されたボルトおよびナットにより梁材２０の下面に固定されている。
【００５２】
このように、通信機器設置領域Ｋ１および空調機設置領域Ｋ２（図１参照）のそれぞれにおいて、隣り合う支持脚構造体Ｌ，Ｌ同士を連結体Ｊで一体にすると（図２参照）、地震等に起因する揺れに対して強い抵抗力を発揮する二重床を提供することが可能となる。
【００５３】
（床パネル）
床パネルＰの構成は特に限定されるものではないが、例えば、図９に示す床パネルＰのように、アルミニウム合金製の押出形材を適宜な長さで切断することで形成される板状のパネル本体Ｐ１と、このパネル本体Ｐ１の両端に設けられる小口部材Ｐ２，Ｐ２とを備えるものを使用することができる。なお、床パネルＰの構成、材質等は、特に限定されるものではなく、適宜変更しても差し支えない。
【００５４】
（二重床の構築方法）
次に、二重床の構築方法を説明する。
二重床を構築するには、図１に示すように、通信機器設置領域Ｋ１および空調機設置領域Ｋ２の配置に合わせて複数の支持脚構造体Ｌ，Ｌ，…を床スラブＳ上に立設し、通信機器設置領域Ｋ１および空調機設置領域Ｋ２のそれぞれにおいて隣り合う支持脚構造体Ｌ，Ｌ同士を連結体Ｊで互いに連結したうえで、一の通信機器設置領域Ｋ１の支持脚構造体Ｌとこれと隣り合う他の通信機器設置領域Ｋ１の支持脚構造体Ｌとの間に複数の床パネルＰ，Ｐ，…を敷設するとともに、複数の通信機器設置領域Ｋ１，Ｋ１，…と空調機設置領域Ｋ２との間に複数の床パネルＰ，Ｐ，…を敷設すればよい。
【００５５】
また、通信機器設置領域Ｋ１等に通信機器Ｋ等を設置するには、図２に示すように、梁構成材２０’（梁材２０）の梁本体部２１の側面に取り付けられた複数の機器固定部２２，２２，…を通信機器Ｋ（図１参照）等の寸法規格に合わせて移動させたうえで、図５の（ａ）に示すように、これら機器固定部２２，２２，…上に通信機器Ｋを載置し、ボルトＢｋおよびナットＮｋで固定すればよい。
【００５６】
ここで、支持脚構造体Ｌの構築方法を、図１０を参照してより詳細に説明する。
支持脚構造体Ｌを構築するには、例えば、支持脚ユニットＵを利用するとよい。この支持脚ユニットＵは、図１０の（ａ）に示すように、梁材２０の一部となる梁構成材２０’と、この梁構成材２０’の一端（図１０の（ａ）において右端）に取り付けられた境界用の束材１０Ａと、梁構成材２０’の中間部分に取り付けられた中間用の束材１０Ｂとを備えており、梁構成材２０’の他端が隣接する他の支持脚ユニットＵの境界用の束材１０Ａに載置可能な構成になっている。なお、境界用の束材１０Ａと中間用の束材１０Ｂの構成が図３等に示す束材１０と同一の構成であることはいうまでもない。また、本実施形態では、一つの支持脚ユニットＵについて、一本の中間用の束材１０Ｂが備えられているが、二本以上の中間用の束材１０Ｂが備えられているものであっても勿論よい。
【００５７】
そして、この支持脚ユニットＵを利用して支持脚構造体Ｌを構築するには、複数の支持脚ユニットＵ，Ｕ，…を長手方向に順次連設すればよい。つまり、床スラブＳ上に設置してある前段の支持脚ユニットＵの境界用の束材１０Ａ上に、後段の支持脚ユニットＵの梁構成材２０’の他端を載置しつつ、この後段の支持脚ユニットＵの境界用の束材１０Ａおよび中間用の束材１０Ｂを床スラブＳに立設すればよい。
【００５８】
より詳細には、まず、図１０の（ａ）および（ｂ）に示すように、前段の支持脚ユニットＵの上面（すなわち、梁構成材２０’の上面）を水平にしたうえで、後段の支持脚ユニットＵの梁構成材２０’の他端を前段の支持脚ユニットＵの境界用の束材１０Ａ上に載置し、次いで、後段の支持脚ユニットＵにおいて、境界用の束材１０Ａを床スラブＳ上に固定するとともに、この境界用の束材１０Ａの高さを調節して梁構成材２０’の上面を水平にし、その後、梁構成材２０’の上面を水平に保ちつつ中間用の束材１０Ｂの高さを調節すると、図１０の（ｃ）に示すように、後段の支持脚ユニットＵを前段の支持脚ユニットＵと同じ高さに、かつ、水平に設置することができる。
【００５９】
ここで、図１０の（ｂ）に示すように、支持脚ユニットＵを床スラブＳ上に設置する前は、その中間用の束材１０Ｂの長さ（高さ）を境界用の束材１０Ａのよりも短くしておくと、境界用の束材１０Ａの高さを調節する際に、中間用の束材１０Ｂが邪魔になることがない。
【００６０】
なお、本実施形態においては、後段の支持脚ユニットＵにおいて梁構成材２０’の上面を水平にする際に、境界用の束材１０Ａの高さを調節する場合を例示したが、これに限定されることはなく、中間用の束材１０Ｂの高さを調節して梁構成材２０’の上面を水平にし、その後、梁構成材２０’の上面を水平に保ちつつ境界用の束材１０Ａの高さを調節してもよい。また、支持脚ユニットＵが三つ以上の束材１０を備えている場合には、そのうちの一つの束材１０の高さを調節して梁構成材２０’の上面を水平にし、その後、梁構成材２０’の上面を水平に保ちつつ残りの束材１０の高さを調節すればよい。
【００６１】
また、ブレース材３０は、支持脚ユニットＵに予め一体に取り付けておいてもよいし、支持脚ユニットＵを床スラブＳ上に設置した後に取り付けてもよい。
【００６２】
以上説明したように、本実施形態に係る二重床によると、図２に示すように、機器設置領域（通信機器設置領域Ｋ１および空調機設置領域Ｋ２）を形成する梁材２０（梁構成材２０’）を梁本体部２１と機器固定部２２とに分割して構成するとともに、この機器固定部２２を梁本体部２１に対して移動可能に構成したので、機器の取付位置を自由に選択することが可能となり、寸法規格の異なる機器を設置する場合にも容易に対応することが可能となる。
【００６３】
また、支持脚構造体Ｌを構築するに際し、支持脚ユニットＵを利用すると、簡易迅速に支持脚構造体Ｌを構築することが可能となり、ひいては、効率よく二重床を構築することが可能となる。つまり、複数の支持脚ユニットＵ，Ｕ，…のうちの一つについてその上面を水平にしておけば、これを基準にして残りの支持脚ユニットＵ，Ｕ，…の上面を順次水平にすることができる。しかも、高さ調節の完了した前段の支持脚ユニットＵの境界用の束材１０Ａに、後段の支持脚ユニットＵの梁構成材２０’の他端を載置する場合には、後段の支持脚ユニットＵにおいては、複数の束材１０（境界用の束材１０Ａおよび中間用の束材１０Ｂ）のいずれか一つについてその高さを調節するだけで、梁構成材２０’の上面を水平にすることができ、残りの束材１０については、水平にした梁構成材２０’を基準にして高さを調節することができる。
【００６４】
なお、図示は省略するが、支持脚ユニットＵを利用しないで支持脚構造体Ｌを構築してもよい。図２を参照して説明すると、床スラブＳ上の適所において複数の束材１０，１０，…を所定の間隔をあけて一直線上に立設固定したうえで、これらの上面に複数の梁構成材２０’，２０’，…を固定して支持脚構造体Ｌを構築してもよい。このとき、隣り合う梁構成材２０’，２０’の境界部に束材１０を位置させるとよい。また、一の梁構成材２０’を三つ以上の束材１０に亘って設置する場合には、いずれか二つの束材１０の上面に梁構成材２０’を固定し、この二つの束材１０の高さを調節して梁構成材２０の上面を水平にしたうえで、残りの束材１０の高さを調節すると、この残りの束材１０については、水平になった梁構成材２０’を基準にすることができるので、都合がよい。
【００６５】
また、本実施形態では、通信機器設置領域Ｋ１および空調機設置領域Ｋ２が、それぞれ床スラブＳ上に並設された二列の支持脚構造体Ｌ，Ｌを利用して形成されている場合（図１参照）を例示したが、この他、図示は省略するが、三列以上の支持脚構造体Ｌ，Ｌ，…を利用して形成されているものであっても勿論よい。
【００６６】
なお、梁材２０の支持構造は、前記したものに限定されることはなく、適宜変更しても差し支えない。例えば、図１１に示すように、二本の梁材２０，２０が門形を呈する支持脚Ａに支持されているものであってもよく、さらには、図１２に示す架台Ｄ１に支持されているものであってもよい。つまり、機器設置領域が床スラブＳの上方に並設された複数本の梁材２０，２０，…を含んで形成されているものであれば、各梁材２０を支持する構造については、適宜変更しても差し支えない。
【図面の簡単な説明】
【００６７】
【図１】本発明に係る二重床を示す斜視図である。
【図２】図１の拡大図である。
【図３】束材を示す斜視図である。
【図４】束材の構成を説明するための分解斜視図である。
【図５】（ａ）は梁材（梁構成材）の断面図、（ｂ）は梁本体部の断面図である。
【図６】梁構成材の構成を説明するための分解斜視図である。
【図７】支持脚構造体の側面図である。
【図８】ブレース材の構成を説明するための分解斜視図である。
【図９】床パネルの構成を説明するための分解斜視図である。
【図１０】支持脚構造体の構築方法を説明するための側面図である。
【図１１】本発明に係る二重床の変形例を示す部分正面図である。
【図１２】従来の二重床を示す斜視図である。
【符号の説明】
【００６８】
Ｌ        支持脚構造体
１０      束材
２０      梁材
２０’    梁構成材
２１      梁本体部
２１１ｃ  （第二）ボルト収容部
２１２ｂ，２１２ｃ  突片（ガイド溝）
２２      機器固定部
２２１    取付部
２２２    張出部
２２３    係合部
３０      ブレース材
Ｐ        床パネル
Ｊ        連結体
Ｓ        床スラブ
【図１】
2006070557.tif 000003
【図２】
2006070557.tif 000004
【図３】
2006070557.tif 000005
【図４】
2006070557.tif 000006
【図５】
2006070557.tif 000007
【図６】
2006070557.tif 000008
【図７】
2006070557.tif 000009
【図８】
2006070557.tif 000010
【図９】
2006070557.tif 000011
【図１０】
2006070557.tif 000012
【図１１】
2006070557.tif 000013
【図１２】
2006070557.tif 000014